(57)【要約】【課題】芯材と布体とを縫着する必要がなく、見た目をシンプルにすることができる帽子を提供する。【解決手段】ひさし１を有する帽子に於て、ひさし１の芯材２が一枚の合成ゴム又は高分子シリコン化合物から成り、芯材２を包囲する布体３と芯材２とが、両面粘着シート４にて接着されている。芯材２が、ＥＰＤＭから成る。布体３が表て布体５と裏布体６とから成り、表て布体５と裏布体６の縫合わせ部分７が、芯材２の外端面８ないし外端面８近傍裏側に配設されている。【選択図】図２
2016089279.tif 000002
【特許請求の範囲】
【請求項１】
ひさし（１）を有する帽子に於て、該ひさし（１）の芯材（２）が一枚の合成ゴム又は高分子シリコン化合物から成り、該芯材（２）を包囲する布体（３）と上記芯材（２）とが、両面粘着シート（４）にて接着されていることを特徴とする帽子。
【請求項２】
上記芯材（２）が、ＥＰＤＭから成る請求項１記載の帽子。
【請求項３】
上記布体（３）が表て布体（５）と裏布体（６）とから成り、該表て布体（５）と裏布体（６）の縫合わせ部分（７）が、上記芯材（２）の外端面（８）ないし外端面（８）近傍裏側に配設されている請求項１又は２記載の帽子。
【請求項４】
一枚の合成ゴム又は高分子シリコン化合物から成るひさし用芯材（２）の表て面（10）及び裏面（11）の各々に両面粘着シート（４）を接着し、該芯材（２）を布体（３）で包囲するとともに、該芯材（２）と布体（３）とを上記両面粘着シート（４）にて接着するひさし製造工程を含むことを特徴とする帽子の製法。
【発明の詳細な説明】
【技術分野】
【０００１】
本発明は、帽子及び帽子の製法に関する。
【背景技術】
【０００２】
従来、ひさしを有する帽子に於て、一般に、ひさしは、芯材と芯材を包囲する布体とから成る（例えば、特許文献１参照）。
【０００３】
しかし、芯材がプラスチックから成り、硬くて重く、折畳んでポケットに収納しづらいという欠点があった。また、布体と芯材は非接着であって、布体が芯材から浮かないようにするため芯材と布体とを縫着する（円挿しする）ので、見た目がシンプルではないという欠点があった。すなわち、機能性が劣りしかも美しくないという欠点があった。
【先行技術文献】
【特許文献】
【０００４】
【特許文献１】特開平２００８−４５２３４号公報
【発明の概要】
【発明が解決しようとする課題】
【０００５】
解決しようとする課題は、硬くて重く、折畳んでポケットに収納しづらい点である。また、芯材と布体とを縫着するので、見た目がシンプルではない点である。すなわち、機能性が劣りしかも美しくない点である。
【課題を解決するための手段】
【０００６】
そこで、本発明に係る帽子は、ひさしを有する帽子に於て、該ひさしの芯材が一枚の合成ゴム又は高分子シリコン化合物から成り、該芯材を包囲する布体と上記芯材とが、両面粘着シートにて接着されているものである。
また、上記芯材が、ＥＰＤＭから成るものである。
また、上記布体が表て布体と裏布体とから成り、該表て布体と裏布体の縫合わせ部分が、上記芯材の外端面ないし外端面近傍裏側に配設されているものである。
【０００７】
また、本発明に係る帽子の製法は、一枚の合成ゴム又は高分子シリコン化合物から成るひさし用芯材の表て面及び裏面の各々に両面粘着シートを接着し、該芯材を布体で包囲するとともに、該芯材と布体とを上記両面粘着シートにて接着するひさし製造工程を含む方法である。
【発明の効果】
【０００８】
本発明の帽子によれば、柔らかくて軽く、容易に折畳んでポケットに収納することができるとともに、形状保持性（復元性）が良い。また、芯材と布体とを縫着する必要がなく、縫着のミシン目が省略されて、見た目をシンプルにすることができる。すなわち、機能性に優れながら美しい。また、触った感じがソフトである。
【０００９】
また、本発明の帽子の製法によれば、柔らかくて軽く、容易に折畳んでポケットに収納することができる帽子を製造することができる。また、芯材と布体とを縫着する必要がなく、外観がシンプルな帽子を製造することができる。すなわち、機能性に優れながら美しい帽子を製造することができる。
【図面の簡単な説明】
【００１０】
【図１】本発明の実施の一形態を示す斜視図である。
【図２】図１のＡ−Ａ断面拡大図である。
【図３】製法を示す斜視図である。
【図４】要部拡大断面図である。
【図５】製法を示す平面図である。
【図６】要部拡大断面図である。
【図７】製法を示す斜視図である。
【図８】要部拡大断面図である。
【図９】要部拡大断面図である。
【図１０】要部拡大断面図である。
【発明を実施するための形態】
【００１１】
以下、図示の実施の形態に基づいて本発明を詳説する。
図１・図２は、本発明の実施の一形態を示し、この帽子は、ひさし１の芯材２が一枚の合成ゴム又は高分子シリコン化合物から成る。芯材２がＥＰＤＭ（例えば、クレハエラストマー株式会社製のＥＢ２７０Ｎ）から成るのが好ましい。また、芯材２が高分子シリコン化合物から成る場合、耐久性に優れ、香料を含有させたり、硬さを容易に変化させたり、厚さ寸法も色々と選択できるなど、多種多様な特性を持たせることができる。
【００１２】
芯材２の厚さ寸法Ｔを、 0.3mm〜 1.0mmに設定する。厚さ寸法Ｔがこの範囲内にある場合、適度に形状が復元し、かつ、軽い。厚さ寸法Ｔが 0.3mm未満の場合、形状復元性が悪い。厚さ寸法Ｔが 1.0mmを超える場合、重くなる虞れがある。
【００１３】
芯材２を包囲する布体３と芯材２とが、両面粘着シート４にて接着されている。布体３は、例えば、ポリエステル繊維の織物、綿織物等から成る。
【００１４】
布体３が表て布体５と裏布体６とから成る。表て布体５と裏布体６の縫合わせ部分７が、芯材２の外端面８ないし外端面８近傍裏側に配設されている。
【００１５】
次に、本発明の帽子の製法について説明する。本発明の帽子の製法は、以下のようなひさし製造工程を含む。ひさし製造工程は、まず、図３に示すように、表て布体５と裏布体６とを袋状に縫着して（縫い代の幅は、例えば、３mm〜５mmとする。）、内外を裏返して袋体９（図７参照）を形成する。
【００１６】
次に、図４・図５に示すように一枚の合成ゴム又は高分子シリコン化合物から成るひさし用芯材２の表て面10及び裏面11の各々に両面粘着シート４を接着し、袋体９の内面形状に対応する形状に打抜いて芯材中間体14を製造する。芯材中間体14は、表て面10側及び裏面11側の各々の両面粘着シート４の外面側に、剥離シート12が積層されている。
【００１７】
その後、図６に示すように、２枚の剥離シート12のうち１枚を剥離させる。そして、図７・図８に示すように、両面粘着シート４が露出している側を表て布体５側に対応させつつ袋体９に差入れ、芯材２を布体３で包囲する。次に、芯材２と布体３とを、エアが入らないようにしながら、両面粘着シート４にて接着する。
【００１８】
具体的には、まず、エアが入らないようにしながら、表て布体５と芯材２を両面粘着シート４にて接着する。その後、図９に示すように、残り１枚の剥離シート12を剥離させる。そして、図10に示すように、表て布体５と裏布体６の縫合わせ部分が、芯材２の外端面８ないし外端面８近傍裏側に配設されるように、かつ、エアが入らないようにしながら、裏布体６と芯材２を両面粘着シート４にて接着する。図示省略の加熱ローラにて、加熱プレスして強固・確実に接着する。
【００１９】
なお、本発明は、設計変更可能であって、例えば、布体３が不織布から成るも良い。また、芯材中間体14を袋体９に差入れてから、２枚の剥離シート12を１枚ずつ剥離して、順次エアが入らないようにしながら、芯材２と布体３（表て布体５及び裏布体６）とを接着するも良い。
【００２０】
以上のように、本発明は、ひさし１を有する帽子に於て、該ひさし１の芯材２が一枚の合成ゴム又は高分子シリコン化合物から成り、該芯材２を包囲する布体３と上記芯材２とが、両面粘着シート４にて接着されているので、柔らかくて軽く、容易に折畳んでポケットに収納することができるとともに、形状保持性（復元性）が良い。また、芯材２と布体３とを縫着する必要がなく、見た目をシンプルにすることができる。すなわち、機能性に優れながら美しい。また、触った感じがソフトである。
【００２１】
また、上記芯材２が、ＥＰＤＭから成るので、芯材２の厚さ寸法Ｔを十分薄くしても適度な形状保持性を有する。また、加熱ローラで押圧して貼着する製造工程に於て、臭いが出ない。
また、上記布体３が表て布体５と裏布体６とから成り、該表て布体５と裏布体６の縫合わせ部分７が、上記芯材２の外端面８ないし外端面８近傍裏側に配設されているので、ひさし１の外周端縁が特に美しく見える。
【００２２】
また、一枚の合成ゴム又は高分子シリコン化合物から成るひさし用芯材２の表て面10及び裏面11の各々に両面粘着シート４を接着し、該芯材２を布体３で包囲するとともに、該芯材２と布体３とを上記両面粘着シート４にて接着するひさし製造工程を含むので、柔らかくて軽く、容易に折畳んでポケットに収納することができるとともに、形状保持性（復元性）が良い帽子を製造することができる。また、芯材２と布体３とを縫着する必要がなく、見た目がシンプルな帽子を製造することができる。すなわち、機能性に優れながら美しい帽子を製造することができる。また、触った感じがソフトな帽子を製造することができる。
【符号の説明】
【００２３】
１  ひさし
２  芯材
３  布体
４  両面粘着シート
５  表て布体
６  裏布体
７  縫合わせ部分
８  外端面
10  表て面
11  裏面
【図１】
2016089279.tif 000003
【図２】
2016089279.tif 000004
【図３】
2016089279.tif 000005
【図４】
2016089279.tif 000006
【図５】
2016089279.tif 000007
【図６】
2016089279.tif 000008
【図７】
2016089279.tif 000009
【図８】
2016089279.tif 000010
【図９】
2016089279.tif 000011
【図１０】
2016089279.tif 000012